(57)【要約】【課題】製品時や製品搬送時には十分なテールシールの接着強度がありながら、製品使用時にはテール部が破れることなくスムーズに剥がれるといった剥がし易さをもつトイレットロール、そのテールシール剥離強度測定装置及びその測定方法を提供する。【解決手段】トイレットロールのテール部を水平方向に等速で引張り、テールシールが剥離する際の引張強度をテールシール剥離強度として計測する。【選択図】図１
2006284366.tif 000002
【特許請求の範囲】
【請求項１】
トイレットロールのテール部を水平方向に等速で引張り、テールシールが剥離する際の引張強度をテールシール剥離強度として計測する、
ことを特徴とするテールシール剥離強度測定方法。
【請求項２】
トイレットロールのテール部における、テールシールに近接した部分を挟持して引張る、請求項１記載のテールシール剥離強度測定方法。
【請求項３】
トイレットロールをその芯を中心として回動自在に保持するロール保持部と、このトイレットロールのテール部を引張る引張強度を測定する引張強度測定器と、この引張強度測定器を、水平方向かつトイレットロールのシート巻取り方向に移動可能に保持する測定器保持部と、を備えた、
ことを特徴とするテールシール剥離強度測定装置。
【請求項４】
トイレットロールの芯中心と引張強度測定器の計測軸と略同じ高さになるように構成された、請求項３記載のテールシール剥離強度測定装置。
【請求項５】
シートの１プライ当りの坪量が１１．０〜３５．０ｇ／ｍ2、１プライ当りの縦方向の乾燥引張強度が１５０〜５５０ｃＮ／２５ｍｍであり、
ソフトネスが１．５〜６．５ｇとされる１プライトイレットロールであって、
テールシール剥離強度が３０〜３００ｃＮである、
ことを特徴とするトイレットロール。
テールシール剥離強度：トイレットロールのテール部を水平方向に等速で引張り、テールシールが剥離する際の引張強度（ｃＮ）。
【請求項６】
シートの１プライ当りの坪量が１１．０〜２２．０ｇ／ｍ2、２プライ当りの縦方向の乾燥引張強度が１５０〜５００ｃＮ／２５ｍｍであり、
ソフトネスが１．０〜４．０ｇとされる２プライトイレットロールであって、
テールシール剥離強度が３０〜３００ｃＮである、
ことを特徴とするトイレットロール。
テールシール剥離強度：トイレットロールのテール部を水平方向に等速で引張り、テールシールが剥離する際の引張強度（ｃＮ）。
【請求項７】
シートにローション薬液が添加された、請求項５又は６記載のトイレットロール。
【請求項８】
ローション薬液が柔軟剤である、請求項７記載のトイレットロール。
【発明の詳細な説明】
【技術分野】
【０００１】
本発明は、トイレットロール、そのテールシール剥離強度測定装置及びその測定方法に関するものである。
【背景技術】
【０００２】
トイレットロールのテール部は、ノズルで糊をテール部にスプレーして糊付けするスプレーノズル移動式、ブレードが昇降してログ本体に塗布して糊付けする糊付けブレード式等によって、トイレットロールの本体側に接着（テールシール）されており、トイレットロールからシートを最初に引き出す際に、テール部を引張って、テールシールを剥がして使用している（例えば、特許文献１参照）。
【特許文献１】実開昭５８−８３９６号公報（図１）
【発明の開示】
【発明が解決しようとする課題】
【０００３】
しかしながら、テールシールの剥がし易さについて官能評価に頼った評価方法しか確立されていなかった。そして、このような評価方法で評価されたトイレットロールは、テールシールの剥がし易さについて製品ごとのバラつきが多かった。
【０００４】
また、引張強さの測定は、ＪＩＳ  Ｐ  ８１１３の規定に基づいてロードセル式引張試験機等を通常使用しているが、試験片の作成が必要なこと、測定開始から終了までに時間がかかることから、生産現場における大量の製品に対し、個々に測定することは困難であり、ひいては不良品の発生に繋がる恐れがあった。
【０００５】
そこで、本発明の主たる課題は、製品時や製品搬送時には十分なテールシールの接着強度がありながら、製品使用時にはテール部が破れることなくスムーズに剥がれるといった剥がし易さをもつトイレットロール、そのテールシール剥離強度測定装置及びその測定方法を提供することにある。
【課題を解決するための手段】
【０００６】
上記課題を解決した本発明は、次のとおりである。
＜請求項１記載の発明＞
請求項１記載の発明は、トイレットロールのテール部を水平方向に等速で引張り、テールシールが剥離する際の引張強度をテールシール剥離強度として計測する、ことを特徴とするテールシール剥離強度測定方法である。
【０００７】
＜請求項２記載の発明＞
請求項２記載の発明は、トイレットロールのテール部における、テールシールに近接した部分を挟持して引張る、請求項１記載のテールシール剥離強度測定方法である。
【０００８】
（作用効果）
トイレットロールのテール部を水平方向に等速で引張り、テールシールが剥離する際の引張強度を計測し、この引張強度をテールシール剥離強度として把握することにより、テールシートの剥がし易さを数値化して評価することができる。
また、狭持する位置は、テールシールに近接することで、引張る際のテール部の破断を防止することができ、より正確なテールシール剥離強度を計測することができる。
ここで、テールシールの剥がし易さを、製品搬送時等にテールが剥がれることなく、トイレットロールの本体側からテール部分を剥がす際に、シートの２周目が破れず、スムーズに剥がれること、というものとする。
【０００９】
＜請求項３記載の発明＞
請求項２記載の発明は、トイレットロールをその芯を中心として回動自在に保持するロール保持部と、このトイレットロールのテール部を引張る引張強度を測定する引張強度測定器と、この引張強度測定器を、水平方向かつトイレットロールのシート巻取り方向に移動可能に保持する測定器保持部と、を備えた、ことを特徴とするテールシール剥離強度測定装置である。
【００１０】
＜請求項４記載の発明＞
請求項４記載の発明は、トイレットロールの芯中心と引張強度測定器の計測軸と略同じ高さになるように構成された、請求項３記載のテールシール剥離強度測定装置である。
【００１１】
（作用効果）
本装置によれば、トイレットロールの本体側からテール部を引張ることによって、テールシールを剥離するという人間の行為を忠実に再現することができ、テールシールが剥離する際の引張強度をテールシール剥離強度として把握し、テールシールの剥がし易さを数値化して評価することができる。
また、トイレットロールの芯中心と引張強度測定器の計測軸と略同じ高さになるように構成することにより、テールシールの剥離強度をより適切に計測できる。
【００１２】
＜請求項５記載の発明＞
請求項５記載の発明は、シートの１プライ当りの坪量が１１．０〜３５．０ｇ／ｍ2、１プライ当りの縦方向の乾燥引張強度が１５０〜５５０ｃＮ／２５ｍｍであり、ソフトネスが１．５〜６．５ｇとされる１プライトイレットロールであって、テールシール剥離強度が３０〜３００ｃＮである、ことを特徴とするトイレットロール。テールシール剥離強度：トイレットロールのテール部を水平方向に等速で引張り、テールシールが剥離する際の引張強度（ｃＮ）である。
【００１３】
＜請求項６記載の発明＞
請求項６記載の発明は、シートの１プライ当りの坪量が１１．０〜２２．０ｇ／ｍ2、２プライ当りの縦方向の乾燥引張強度が１５０〜５００ｃＮ／２５ｍｍであり、ソフトネスが１．０〜４．０ｇとされる２プライトイレットロールであって、テールシール剥離強度が３０〜３００ｃＮである、ことを特徴とするトイレットロール。テールシール剥離強度：トイレットロールのテール部を水平方向に等速で引張り、テールシールが剥離する際の引張強度（ｃＮ）である。
【００１４】
＜請求項７記載の発明＞
請求項７記載の発明は、シートにローション薬液が添加された、請求項５又は６記載のトイレットロールである。
【００１５】
＜請求項８記載の発明＞
請求項８記載の発明は、ローション薬液が柔軟剤である、請求項７記載のトイレットロールである。
【００１６】
（作用効果）
本トイレットロールによれば、テールシール剥離強度が３０〜３００ｃＮであることにより、製品時や製品搬送時等にテールが剥がれることなく、トイレットロールの本体側からテール部分を剥がす際に、シートの２周目が破れず、スムーズに剥がすことができる。
【発明の効果】
【００１７】
本発明によれば、テールシールの剥がし易さを数値化して測定できる等の利点がもたらされる。
【発明を実施するための最良の形態】
【００１８】
以下、本発明の実施の形態を説明する。
＜テールシール剥離強度測定装置＞
トイレットロールにおいて、テールシールの接着強度が強い場合には、テールを剥がす際に２，３周目のシートまで剥がれてしまい、ミシン目ずれやプライ離れになってしまう。逆に、接着強度が弱い場合には、不用意にテールが剥がれ、ミシン目ズレやプライ離れが生じてしまう。このような製品は、テールシール不良として消費者からの苦情の対象となる。このようなテールシール不良の発生を未然に防止するために、予め製品時や製品搬送時等にテールが剥がれることなく、かつトイレットロールの使用開始の際に剥がしやすさを定量化し、数値で管理することが不良発生の防止につながることになる。
【００１９】
そこで、テールシールの剥がし易さを、製品搬送時等にテールが剥がれることなく、トイレットロールの本体側からテール部分を剥がす際に、シートの２周目が破れず、スムーズに剥がれること、と定義し、このテールシートの剥がれ易さを数値化できるような装置を本発明者らは開発した。
【００２０】
本発明に係るテールシール剥離強度測定装置は、トイレットロールの本体側からテール部を引張ることによって、テールシールを剥離するという人間の動作・行為を忠実に再現するものであり、テールシールが剥離する際の引張強度（ｃＮ）をテールシール剥離強度として把握し、テールシールの剥がし易さを数値化して評価する測定装置である。
【００２１】
このテールシール剥離強度測定装置は、トイレットロール９をその芯を中心として回動自在に保持するロール保持部１と、トイレットロール９のテール部９１を引張る引張強度を測定する引張強度測定器２と、この引張強度測定器２を、水平方向かつトイレットロールのシート巻取り方向に移動可能に保持する測定器保持部３と、を備えている。
【００２２】
ロール保持部１は、トイレットロール９の芯に水平方向に挿入可能で、トイレットロール９をその芯を中心として回動自在に軸支するロール保持軸１１と、このロール保持軸１１の一端に取付けられ、ロール保持軸１１を支持する支持部材１２と、この支持部材１２を固定する底板１３と、を備えている。
【００２３】
なお、ロール保持軸１１の直径は、トイレットロール９の芯の内径に合わせて適宜変更することができ、好ましくは５〜５０ｍｍであればよい。
【００２４】
引張強度測定器２は、公知のものを用いることができ、本実施の形態では、プッシュプルゲージを用いている（例えば、イマダ製「デジタルフォースゲージＤＰＳ−２０」）。引張強度測定器２の計測軸には、フック２１が取付けられており、後述する狭持部材４のリング部４２に引掛けて、狭持部材４自体を引張ることができるようになっている。引張強度測定器２には、計測した引張強度をディスプレイに表示できるようになっている。
【００２５】
後述するように、テールシール剥離強度の測定の際には、引張強度測定器２を手で把持するか、駆動モータ等によりトイレットロール９から遠ざかるように等速に引張るものである。
【００２６】
測定器保持部３は、引張強度測定器２を水平方向に移動可能とする移動手段３１と、この移動手段を固定すると共に、引張強度測定器２の計測軸とトイレットロール９の芯中心との高さを調整する固定台３２と、を備えている。本実施の形態における移動手段３１は、レール３１Ａと、このレール３１Ａに係合すると共に、摺動自在なスライドベアリング等の摺動部材３１Ｂと、からなっている。なお、本実施の形態では、測定の際、引張強度測定器２を手で引張るが、それに換えて、摺動部材３１Ｂを駆動モータ（図示せず）によって引張るように構成してもよい。なお、移動手段３１は、これに限られるものではなく、例えば、戸車とレール溝のようなものでもよい。また、摺動部材３１Ｂと引張強度測定器２とは取外しが可能となっている。
【００２７】
固定台３２の高さが、引張強度測定器２の計測軸とトイレットロール９の芯中心と略同じ高さになるように構成されているので、テールシール９２の剥離強度を適切に計測できるようになっている。また、本実施の形態では、固定台３２は底板１３に取付けられており、ロール保持部１と測定器保持部３とが一体化されているが、これに限らずロール保持部１と測定器保持部３とを分離した構成としてもよい。
【００２８】
狭持部材４は、トイレットロール９のテール部９１を上下から狭持片４１，４１により挟み込み狭持するものであり、例えば、クリップ等の公知のものを用いることができる。この狭持部材４は、テール部９１を摘む人の手に相当するものである。そして、狭持部材４の後方には、前述した引張強度測定器２のフック２１に引っ掛かるリング部４２が形成されている。
【００２９】
本発明に係るテールシール剥離強度測定装置では、狭持部材４で挟み込んだトイレットロール９のテール部９１を水平方向に引張る構成としていることにより、狭持部材４の自重の影響を排除できるようになっている。
【００３０】
＜テールシール剥離強度の測定方法＞
以下に、上記のテールシール剥離強度測定装置を用いたテールシール剥離強度の測定方法を説明する。
まず、図３に示すように、トイレットロール９をロール保持部１のロール保持軸１１に差し込む。なお、これに前後して引張強度測定器２を測定器保持部３の移動手段３１に取付けておく。
【００３１】
次に、テール部９１に、狭持部材４を挟み込むと共に、狭持部材４のリング部４２に引張強度測定器２のフック２１を引掛ける。これに前後して、引張強度測定器２の電源を入れておく。なお、狭持部材４を挟み込む際、挟持部材４はテールシール９２に近接して挟み込む方が好ましい。テール部９１の末端を挟持すると、引張る際にテール部９１が破断したりする恐れがあるからである。
【００３２】
さらに、手でトイレットロール９を回転させ、テール部９１が引張強度測定器２の計測軸とトイレットロール９の芯中心とを結ぶ軸線上に位置させる。この状態で図１及び図２に示す太い矢印方向に、テール部９１に負荷がかからず、かつ剥がれないように、引張強度測定器２をゆっくりと引張り、テール部９１及び狭持部材４、リング部４２、フック２１が一直線上、つまり水平状態になるように初期緊張を与える。この状態で引張強度測定器２のディスプレイ上の数値表示を補正し、ゼロとする。
【００３３】
その後、図１及び図２に示す太い矢印方向に、引張強度測定器２をゆっくりと引張る。この際に、加速度が加らないように、ゆっくりと等速に引張る必要がある。そして、テールシールが剥がれた時の引張強度を引張強度測定器２のディスプレイから読み取り、この引張強度をテールシール剥離強度として把握すればよい。
【００３４】
＜トイレットロール＞
本発明に係るトイレットロールのシートは、１プライであっても、２プライ（２枚重ねで一組）、又はそれ以上の複数プライであってもよい。例えば、１プライとする場合は、各シート（１枚）のＪＩＳ  Ｐ  ８１２４に基づく米坪（坪量）を、１１．０〜３５．０ｇ／ｍ2とするのが好ましく、１５．０〜２５．０ｇ／ｍ2とするのがより好ましい。坪量が、１１．０ｇ／ｍ2未満であると、抄造が困難となる。他方、坪量が、３５．０ｇ／ｍ2を超えると、柔らかさが低下し、使用感等が低下する。さらに、１プライ当りの縦方向の乾燥引張強度が１５０〜５５０ｃＮ／２５ｍｍであることが好ましい。乾燥引張強度が、１５０ｃＮ／２５ｍｍ未満であれば、使用時トイレットロールをロールフォルダーから引き出す際、破れやすいため、使用者が所望の長さで切り取りにくい恐れがある。他方、５５０ｃＮ／２５ｍｍ超であれば、逆に切れにくい恐れがあるからである。
【００３５】
トイレットロールのシートは、１プライとする場合は、ソフトネスが１．５〜６．５ｇとされることが好ましい。この値を満たせば、シートは、十分な柔らかさとなる。
【００３６】
また、２プライとする場合は、各シート（１枚）のＪＩＳ  Ｐ  ８１２４に基づく米坪（坪量）を、１１．０〜２２．０ｇ／ｍ2とするのが好ましく、１３．０〜１８．０ｇ／ｍ2とするのがより好ましい。坪量が、１１．０ｇ／ｍ2未満であると、抄造が困難となる。他方、坪量が、２２．０ｇ／ｍ2を超えると、柔らかさが低下し、使用感等が低下する。さらに、２プライ当りの縦方向の乾燥引張強度が１５０〜５００ｃＮ／２５ｍｍであることが好ましい。乾燥引張強度が、１５０ｃＮ／２５ｍｍ未満であれば、使用時トイレットロールをロールフォルダーから引き出す際、破れやすいため、使用者が所望の長さで切り取りにくい恐れがある。他方、５００ｃＮ／２５ｍｍ超であれば、逆に切れにくい恐れがあるからである。
【００３７】
トイレットロールのシートは、２プライとする場合は、ソフトネスが１．０〜４．０ｇとされることが好ましい。この値を満たせば、シートは、十分な柔らかさとなる。
【００３８】
ここで、ソフトネスとは、１０ｃｍ巾の衛生薄葉紙を端子によって巾５．０ｍｍの隙間に押し込んだときの抵抗値（縦横の平均値）であり、値が小さいほど、柔らかいことを意味する。本明細書でソフトネス は、ハンドルオメータ法（ＪＩＳ Ｌ−１０９６ Ｅ法）によって測定した値をいう。ソフトネスは、例えば、坪量、層の数、層を形成する繊維・フィルム等の種類、融着加工条件などを変化させることにより、調節することができる。
【００３９】
〔基紙の原料等〕
本発明に係るトイレットロールのシートにおいて、基紙の原料は、特に限定されず、適宜の原料を使用することができる。原料として、パルプ繊維を使用する場合、このパルプ繊維（原料パルプ）としては、例えば、木材パルプ、非木材パルプ、合成パルプ、古紙パルプ、などから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００４０】
パルプ繊維等の原料は、例えば、公知の抄紙工程、具体的には、ワイヤパート、プレスパート、ドライヤパート、サイズプレス、カレンダパート等を経るなどして、基紙とする。この抄紙に際しては、例えば、分散剤、苛性ソーダ、アンモニア水等のｐＨ調整剤、消泡剤、防腐剤、蛍光染料、離型剤、耐水化剤、流動変性剤、歩留まり向上剤などの適宜の薬品を添加することができる。
【００４１】
〔ローション薬液〕
本発明に係るトイレットロールのシートにおいて、使用するローション薬液とは、肌触り性（風合い）を高め、あるいは保湿性を高め、あるいはパルプ繊維の肌への刺激を和らげ、あるいは潤い感を高めることを主眼とするものであり、その種類は、特に限定されない。例えば、保湿性薬液としては、シリコーンオイル、シリコーンパウダー等のポリシロキサン、グリセリン、プロピレングリコール等の多価アルコール、ソルビトール、グルコース等の糖類、グリコール系溶剤及びその誘導体のうちの少なくとも１種の保湿剤を含むものを用いてなるものを、例示することができる。また、以上の薬液には、例えば、ビタミンＣ、ビタミンＥ、コラーゲンなどを含む薬液を併用することができる。この種の薬液は、潤い感を高める機能がある。ビタミンＣおよびビタミンＥは抗酸化剤としても機能する。ビタミンＥは、還元力の強い成分で、活性酸素・フリーラジカルを消去し、あるいは過酸化脂質の発生を防ぐ抗酸化作用がある。したがって、ビタミンＥは薬液の安定化剤として機能するとともに、肌の皮脂の酸化防止効果および血行促進効果が発揮される。また、保湿機能もある。ビタミンＣは、ビタミンＥと同じく皮脂の抗酸化作用がある。ビタミンＣは、ビタミンＥを還元するする作用があるため、ビタミンＣ，Ｅの両方を用いると、ビタミンＣがビタミンＥの助剤として働き、活性酸素などにより酸化されたビタミンＥを還元し、ビタミンＥの強力な皮脂の抗酸化作用を維持する作用が奏せられる。コラーゲンは、肌の真皮の９０％を形成しており、これが減少すると肌に潤いや張りがなくなる。したがって、肌と接触したときに肌に潤いを与える保湿効果を発揮する。また、薬液としては、特にｐＨが５．０〜６．０の弱酸性とされたものであると、肌に対して接触させても肌がアルカリ性になることがなく、薬液ｐＨの影響による肌荒れを効果的に防止できる。特に好適なｐＨ範囲は５．３〜５．７である。ｐＨの調整法としては、酸性又は塩基性のｐＨ調整剤を薬液に添加することにより行うことができ、薬液が強酸性の場合には水酸化ナトリウム水溶液や水酸化カリウム水溶液を用いることができ、中性・アルカリ性の場合にはクエン酸やリンゴ酸、乳酸を用いることができる。
【００４２】
清涼感を得るための薬液としては、ソルビトール、アルチトール、キシリトール、エリスリトール、ラクチトール、パラチニットを挙げることができる。特に好ましいものは、エリスリトール、キシリトール、ソルビトールであり、さらに好ましいくはエリスリトール又はキシリトールである。さらに、メントール、サリチル酸、α−シネロール、及びこれらの誘導体の群から選ばれた一種又は二種以上の冷感剤を含ませることができる。
【００４３】
柔軟剤の代表例は、界面活性剤系の柔軟剤であり、その柔軟剤としては、アニオン系界面活性剤、非イオン系界面活性剤、カチオン系界面活性剤および両性イオン界面活性剤の中から適宜選択して用いることができ、特にアニオン系界面活性剤が好適である。アニオン系界面活性剤としては、カルボン酸塩系、スルホン酸塩系、硫酸エステル塩系、燐酸エステル塩系などを用いることができる。特にアルキル燐酸エステル塩が好ましい。
【００４４】
非イオン界面活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレートなどの多価アルコールモノ脂肪酸エステル、Ｎ−（３−オレイロシキ−２−ヒドロキシプロピル）ジエタノールアミン、ポリオキシエチレン硬化ヒマシ油、ポリオキシエチレンソルビット密ロウ、ポリオキシエチレンソルビタンセスキステアレート、ポリオキシエチレンモノオレエート、ポリオキシエチレンモノラウレート、ポリオキシエチレンセチルエーテル、ポリオキシエチレンラウリルエーテルなどを用いることができる。
【００４５】
カチオン界面活性剤としては、第４級アンモニウム塩、アミン塩、またはアミンなどをもちいることができる。また、両性イオン界面活性剤としては、カルボキシ、スルホネート、サルフェートを含有する第２級または第３級アミンの脂肪族誘導体、または複素環式第２級または第３級アミンの脂肪族誘導体などを用いることができる。
【００４６】
以上、本発明に係るトイレットロールのシートにおいては、さまざまなローション薬液を使用することができるが、特に、流動パラフィン５〜２０％と、多価アルコール類５０〜８５％と、糖類３〜３０％と、さらに必要ならば５％以下の非イオン界面活性剤とを主剤とする薬液を用いると、好ましいものとなる。流動パラフィンの添加量が５％未満であると、しっとり感が低下し、また滑らかさが低下し、ざらつく。逆に２０％を超えると、ねばつき感（べとつき感）を与えるとともに、ざらつき、さらに硬い感じを与えるようになる。より好適な範囲は、８〜１５％である。本形態では、例えば、特開平２−１０４５１１号公報に示されるような、多価アルコールによる皮膚の油分の除去特性を過度にすることなく、流動パラフィンを混入することにより、皮膚の油分の除去特性を抑制しているために、ほどよいしっとり感を得ることができる。
【００４７】
多価アルコール類の添加量は５０〜８５％とされる。５０％未満では、清拭効果としっとり感が劣る。８５％を超えると、他の成分の添加量が少なくなり、全体の特性のバランスが悪くなる。また、強度の劣化が起こり、破れ易くなるとともに、べたついた感じを与えるようになる。多価アルコール類としては、特にグリセリン又はプロピレングリコールあるいはそれらの混合物からなるのが好ましい。
【００４８】
糖類の添加量は３〜３０％とされる。３％未満では、しっとり感とやわらかさが低下し、３０％を超えると、全体の特性のバランスが悪くなり、強度劣化が起こり、破れ易くなる。糖類としては、特にソルビトール又はグルコースあるいはそれらの混合物からなるものが好適である。
【００４９】
さらに必要ならば５％以下の非イオン界面活性剤を添加することができる。非イオン活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレート等の多価アルコールモノ脂肪酸エステル、Ｎ−（３−オレイロキシ−２−ヒドロキシプロピル）ジエタノールアミン、ポリオキシエチレン硬化ヒマシ油、ポリオキシエチレンソルビット蜜ロウ、ポリオキシエチレンソルビタンセスキステアレート、ポリオキシエチレンモノオレエート、ポリオキシエチレンソルビタンセスキステアレート、ポリオキシエチレングリセリルモノオレート、ポリオキシエチレンモノステアレート、ポリオキシエチレンモノラウレート、ポリオキシエチレンモノオレエート、ポリオキシエチレンセチルエーテル、ポリオキシエチレンラウリルエーテル等を挙げることができる。
【００５０】
これらの薬液のシートへの添加は、内添でも外添でもよい。また、薬液に対して、陰イオン界面活性剤、香料、着色料、防腐剤、酸化防止剤などの副次的添加剤を、１％以下の割合で添加することができる。
【００５１】
［テールシール剥離強度］
トイレットロールにおいて、テールシールの接着強度が強い場合には、テールを剥がす際に２，３周目のシートまで剥がれてしまい、ミシン目ずれやプライ離れになってしまう。逆に、接着強度が弱い場合には、不用意にテールが剥がれ、ミシン目ズレやプライ離れが生じてしまう。このような製品は、いずれもテールシール不良として扱われる。そこで、予め製品搬送時等にテールが剥がれることなく、かつトイレットロールの使用開始の際に剥がしやすいトイレットロールが求められていた。
本発明におけるテールシールの剥がし易さを、製品時や製品搬送時等にテールが剥がれることなく、トイレットロールの本体側からテール部分を剥がす際に、シートの２周目が破れず、スムーズに剥がれること、と定義し、このテールシールの剥がし易さを、上記テールシール剥離強度の測定方法によって数値化した。
【００５２】
その結果、テールシール剥離強度（ｃＮ）が３０ｃＮ未満であれば、部分的にテール部が剥がれたり、剥がれなかったとしても、フィルム製の包装袋に挿入する際のフィルムとの擦れでテール部が剥がれてしまう恐れがあり、他方、３００ｃＮ超であれば、テール部がロール本体から剥がれにくいものの使用時のテール部の挟持部分が破れたりするため、テールシール剥離強度（ｃＮ）が３０〜３００ｃＮであれば、前述したテールシールの剥がし易さを有することが分かった。好ましくは、テールシール剥離強度（ｃＮ）が４０〜２５０ｃＮであればよい。
【００５３】
［テール部長さ］
テール部長さも、テールシール剥離強度と同様に、テールシールの剥がし易さに寄与する要素である。図４に示すテール部９１のテール部長さＬについて好適な長さを求めるため、５〜７０ｍｍまで５ｍｍ刻みで、上記テールシール剥離強度の測定方法によって計測すると共に、使い勝手等を考慮し、好適な長さを数値化した。
その結果、テール部長さＬが１５〜４５ｍｍであれば、前述したテールシールの剥がし易さを有し、かつ使い勝手等がよいことが分かった。一方、テール部長さＬが１５ｍｍ未満であれば、短すぎて剥がしにくく、手で挟持する挟持部分のみが破れたりする恐れがあり、他方、４５ｍｍ超であれば、トイレットロールの見栄えが悪いだけでなく、加工ライン上のコンベアでトイレットロールを搬送する際のガイド部分に接触して剥がれ易くなることが分かった。
【００５４】
［テールシールの糊塗布幅］
テールシールの糊塗布幅も、テールシールの剥がし易さに寄与する要素である。図４に示すテールシール９２の糊の塗布幅Ｗについて好適な幅を求めるため、０．５〜１０ｍｍまで０．５ｍｍ刻みで、上記テールシール剥離強度の測定方法によって計測し、好適な幅を数値化した。
その結果、テールシールの糊の塗布幅Ｗが１〜８ｍｍであれば、前述したテールシールの剥がし易さを有することが分かった。一方、１ｍｍ未満であれば、部分的にテール部が剥がれたり、剥がれなかったとしても、フィルム製の包装袋に挿入する際のフィルムとの擦れでテール部が剥がれてしまう恐れがあり、他方、８ｍｍ超であれば、テール部が剥がれにくいものの使用時のテールシール挟持部分が破れてしまうことが分かった。
なお、テールシールへの糊付け方法について、本発明は限定されるものではなく、ノズルで糊をテール部にスプレーして糊付けするスプレーノズル移動式、ブレードが昇降してログ本体に塗布して糊付けする糊付けブレード式等の公知の方法を用いることができる。
【００５５】
［テールシールの糊の粘度］
テールシール９２の糊の粘度（Ｐａ）としては、テールシールの剥がし易さの観点から、６００〜９５０Ｐａが好ましい。一方、６００Ｐａ未満であれば、テールシールの糊が浸透し易くなり、シートの３周目まで到達し、使用時にテール部を挟持して剥がす際、シートの３周目まで同時に剥がれてしまう恐れがあり、他方、９５０Ｐａ超であれば、粘性により糊が糸を引き易くなり、例えば、糊の糸がテール部分に付着し、使用時に剥がす際の支障となったり、同様にトイレットロールの他の部分に付着する恐れがある。
【実施例】
【００５６】
１プライトイレットロール及び２プライトイレットロールについて、各々数種類のサンプルで、上記のテールシール剥離強度の測定方法に基づき試験を行った。表１及び表２に１プライトイレットロールの場合の試験例を示し、表３及び表４に２プライトイレットロールの場合の試験例を示している。なお、項目におけるローション塗布率（％）とは、基紙の原料に対する質量比である。
【００５７】
【表１】
2006284366.tif 000003
【００５８】
【表２】
2006284366.tif 000004
【００５９】
【表３】
2006284366.tif 000005
【００６０】
【表４】
2006284366.tif 000006
【産業上の利用可能性】
【００６１】
本発明は、トイレットロール、そのテールシール剥離強度測定装置及びその測定方法として、適用可能である。
【図面の簡単な説明】
【００６２】
【図１】本発明に係るテールシール剥離強度測定装置の、テールシール剥離強度測定前の説明図である。
【図２】本発明に係るテールシール剥離強度測定装置の、テールシール剥離強度測定中の説明図である。
【図３】トイレットロールをロール保持部に挿入する際の説明図である。
【図４】トイレットロールにおけるテール部長さとテールシールの糊の塗布幅の関係を示す説明図である。
【符号の説明】
【００６３】
１…ロール保持部、２…引張強度測定器、３…、４…狭持部材、９…トイレットロール、１１…ロール保持軸、１２…支持部材、１３…底板、２１…フック、３１…移動手段、３１Ａ…レール、３１Ｂ…摺動部材、３２…固定台、４１…狭持片、４２…リング部、９１…テール部、９２…テールシール、Ｌ…テール部長さ、Ｗ…テールシールの糊の塗布幅。
【図１】
2006284366.tif 000007
【図２】
2006284366.tif 000008
【図３】
2006284366.tif 000009
【図４】
2006284366.tif 000010